(57)【要約】【課題】簡単な構成で且つ小型化が容易な無線中継器を備えて無線ＬＡＮの構築に好適な照明器具を得ることにある。【解決手段】非常用ランプ１６は器具本体１１に取付けられている。非常用点灯装置６０ａは非常時に非常用ランプ１６を非常用電源２７で点灯させる。無線中継器１７は器具本体１１に設けられている。無線中継器１７は少なくとも非常時に非常用電源２７から非常用点灯制御部６０ａへ供給される電源の一部を用いて動作する。【選択図】    図２
2004185978.tif 000002
【特許請求の範囲】
【請求項１】
器具本体と、
この器具本体に取付けられる１ないし複数の光源と、
非常時には１以上の前記光源を非常用電源で点灯するように設けられている非常用点灯制御部と、
前記器具本体に設けられ、少なくとも非常時には前記非常用電源から前記非常用点灯制御部へ供給される電源の一部を用いて動作する無線中継器と、
を具備することを特徴とする照明器具。
【請求項２】
前記非常用点灯制御部は、常時において、商用電源の電源供給により前記非常用電源の充電を行うとともに、前記無線中継器は、常時において、商用電源から前記非常用点灯制御部へ供給される電源の一部を用いて動作することを特徴とする請求項１に記載の照明器具。
【請求項３】
器具本体、この器具本体に取付けられる１ないし複数の光源、及び非常時には１以上の前記光源を前記非常用電源で点灯するように設けられている非常用点灯制御部を有し、天井に所定の間隔で配置されている非常用照明器具と、
前記天井に所定の間隔で配置され、少なくとも非常時には前記非常用電源から前記非常用点灯制御部へ供給される電源の一部を用いて動作する無線中継器と、
前記非常用照明器具と混在して前記天井に所定の間隔で配置され、常時には商用電源の供給及び遮断が外部操作により選択可能な光源を有する常用照明器具と、
を具備することを特徴とする照明システム。
【請求項４】
前記非常用点灯制御部は、常時において、商用電源の電源供給により前記非常用電源の充電を行うとともに、前記無線中継器は、常時において、商用電源から前記非常用点灯制御部へ供給される電源の一部を用いて動作することを特徴とする請求項３に記載の照明システム。
【発明の詳細な説明】
【０００１】
【発明の属する技術分野】本発明は、無線中継器を備える照明器具及び照明システムに関する。
【０００２】
【従来の技術】オフィス内等においてローカルエリアネットワーク（以下、ＬＡＮと言う）を構築するにあたっては、ケーブルを配線することにより有線で構築する場合と、無線中継器を所定間隔で配置することにより無線で構築する場合とがある。有線でＬＡＮを構築する場合、床下にケーブルを配線する等の大掛かりな工事が必要であり費用が嵩む。或いは、携帯移動端末いわゆるモバイル機器を使用している場合、通信の開始・終了の度にこの携帯移動端末にネットワークに連なるプラグを抜き差ししなければならない等の不便がある。このような事情から、無線でＬＡＮを構築することに対する需要が高まってきている。
【０００３】
無線でＬＡＮを構築するために用いられる無線中継器としては、従来、直線形蛍光管を備える照明器具に取付けて使用する無線中継器が知られている。
【０００４】
この無線中継器は、照明器具の照明器具本体が備える一対のソケットのうちの一方のソケットに装着される第一のモジュールと、他方のソケットに装着される第二のモジュールと、第一及び第二のモジュール間を接続する電力供給手段とを備えている。
【０００５】
第一のモジュールは無線中継機能を果たす無線中継器本体とされている。また、この第１のモジュールには電源モジュールと蓄電池とが設けられている。第二のモジュールは電力供給用本体とされている。第二モジュールはソケットから得られる電力の一部を電源モジュールに供給できるようになっている。さらに、第一及び第二のモジュールは、所定方向で互いに間隔をおいて対向した対向面を有していて、この対向面に直線形蛍光管を装着できる一対のソケットが付設されている。
【０００６】
この無線中継器は、照明器具のソケットに取付けることで、このソケットを介して得られる電力の一部を用いて動作する。また、ソケットに無線中継器を装着した状態においては、第一モジュールと第二モジュールとの間に、元来この照明器具に装着されるべき蛍光管よりも短い蛍光管、すなわち消費電力が少ない蛍光管を装着することが可能である（例えば、特許文献１参照。）。
【０００７】
【特許文献１】
特開平９−３２１６７３号公報（段落０００９〜段落００１３，図３）
【０００８】
【発明が解決しようとする課題】しかし、特許文献１の技術では、無線中継器を取付けた照明器具には、元来この照明器具に装着されるべき蛍光管よりも短い蛍光管、つまり消費電力の少ない蛍光管しか装着することができない。したがって、特許文献１に記載されている無線中継器を照明器具に取付けると、照明器具の照度が低下する。
【０００９】
また、一般に、照明器具を設置する間隔よりも無線中継器を設置する間隔のほうが広い場合が多い。そのため、オフィス等の比較的広い空間を有する部屋に特許文献１の無線中継器を取付ける場合には、天井に取付けられている複数の照明器具の中に、無線中継器が取付けられている照明器具と取付けられていない照明器具とが混在することとなる。上述のように、無線中継器を取付けた照明器具には、元来この照明器具に装着されるべき蛍光管よりも短い蛍光管しか取付けることができないため、無線中継器を取付けていない照明器具と比べて輝度が低く、したがって、照明エリア内の各部の明るさにむらができるので好ましくない。
【００１０】
さらに、特許文献１の技術では、無線中継器は蓄電池を備えており、非常時においては無線中継器自体が有する蓄電池により動作する。そのため、無線中継器全体の構成としては大きくなり易く、照明器具に組み込み難いという問題がある。
【００１１】
また、非常時、すなわち照明器具への電力供給が停止した場合、無線中継器は蓄電池により動作するが、無線中継器が取付けられた照明器具は消灯される。そのため、前記照明器具には、無線中継器とともに非常時でも蛍光管が点灯するようにする点灯回路を設ける、或いは別途非常灯等を設ける必要がある。
【００１２】
本発明は、上記課題に鑑みなされたものであり、簡単な構成で且つ小型化が容易な無線中継器を備えて無線ＬＡＮの構築に好適な照明器具、及び簡単な構成で且つ小型化が容易な無線中継器を備えて無線ＬＡＮを構築できる照明システムを得ることにある。
【００１３】
【課題を解決するための手段】請求項１に係る発明の照明器具は、器具本体と、この器具本体に取付けられる１ないし複数の光源と、非常時には１以上の前記光源を非常用電源で点灯するように設けられている非常用点灯制御部と、前記器具本体に設けられ、少なくとも非常時には前記非常用電源から前記非常用点灯制御部へ供給される電源の一部を用いて動作する無線中継器と、
を具備することを特徴とする。
【００１４】
請求項１の発明では、器具本体は、ダウンライト等の埋込器具であっても直付器具であってもよい。
【００１５】
また、請求項１の発明では、常時に商用電源の電源供給により１以上の光源の点灯制御を行う常用点灯制御部を有するものであってもよい。この際、常時に常用点灯制御部で点灯されるとともに非常時に非常用点灯制御部で点灯される光源を１ないし複数設けてもよい。光源を複数設ける場合、これらの光源の内の一部を常時に常用点灯制御部でのみ点灯される光源とし、その他を非常時に非常用点灯制御部でのみ点灯される光源としてもよい。また、光源を複数設ける場合、これらの光源の内の一部または全部を、常時に常用点灯制御部で点灯されるとともに非常時に非常用点灯制御部で点灯される光源としてもよい。さらに、常時に常用点灯制御部でのみ点灯される光源と、常時に常用点灯制御部で点灯されるとともに非常時に非常用点灯制御部で点灯される光源とを混在させてもよい。
【００１６】
請求項１及び以下の発明では、無線中継器は、少なくとも無線端末機器から送信された信号を受信可能であればよい。好ましい例としては、無線中継器は、無線端末機器から送信された信号を受信して、その情報をサーバー等に送信できるとともに、サーバー等に蓄積されている該当の情報を受信して、その情報を無線端末機器に送信できるようにするとよい。その場合、無線中継器とサーバー等との間はケーブルで接続して有線で情報の送受信を行うようにしてもよい。
【００１７】
また、請求項１及び以下の発明では、無線中継器は、常時及び非常時ともに、非常用電源から非常用点灯制御部へ供給される電源の一部を用いて動作するものとしてもよい。また、常時は商用電源から供給される電源で動作し、非常時には非常用電源から非常用点灯制御部へ供給される電源の一部を用いて動作するものとしてもよい。
【００１８】
さらに、請求項１及び以下の発明では、非常用電源としては、例えば電池、より好ましくは蓄電池を用いることができる。
【００１９】
請求項１の発明によれば、無線中継器は、少なくとも非常時に非常用電源から非常用点灯制御部へ供給される電源の一部を用いて動作する。そのため、無線中継器には非常用電源を備えておく必要がなく、したがって、簡単な構成であり小型化が容易である。しかも、請求項１の発明によれば、照明器具を所定の間隔で配置するだけで大掛かりな工事を要することなく無線ＬＡＮの構築が可能である。
【００２０】
請求項２に係る発明の照明器具は、請求項１に記載の照明器具であって、前記非常用点灯制御部は、常時において、商用電源の電源供給により前記非常用電源の充電を行うとともに、前記無線中継器は、常時において、商用電源から前記非常用点灯制御部へ供給される電源の一部を用いて動作することを特徴とする。
【００２１】
請求項２の発明によれば、常時においては、無線中継器は商用電源の電源供給により非常用電源を充電するための電源の一部を用いて動作するため、配線構造を複雑化することなく無線中継器を配設することができる。
【００２２】
請求項３に係る発明の照明システムは、器具本体、この器具本体に取付けられる１ないし複数の光源、及び非常時には１以上の前記光源を前記非常用電源で点灯するように設けられている非常用点灯制御部を有し、天井に所定の間隔で配置されている非常用照明器具と、前記天井に所定の間隔で配置され、少なくとも非常時には前記非常用電源から前記非常用点灯制御部へ供給される電源の一部を用いて動作する無線中継器と、前記非常用照明器具と混在して前記天井に所定の間隔で配置され、常時には商用電源の供給及び遮断が外部操作により選択可能な光源を有する常用照明器具と、を具備することを特徴とする。
【００２３】
請求項３の発明では、非常用照明器具及び常用照明器具が備える器具本体は、夫々ダウンライト等の埋込器具であっても直付器具であってもよい。
【００２４】
また、請求項３の発明では、非常用照明器具が、常時に商用電源の電源供給により１以上の光源の点灯制御を行う常用点灯制御部を有するものであってもよい。この際、非常用照明器具は、常時に常用点灯制御部で点灯されるとともに非常時に非常用点灯制御部で点灯される光源を１ないし複数設けてもよい。光源を複数設ける場合、これらの光源の内の一部の光源を常時に常用点灯制御部でのみ点灯される光源とし、その他を非常時に非常用点灯制御部でのみ点灯される光源としてもよい。また、光源を複数設ける場合、これらの光源の内の一部または全部を、常時に常用点灯制御部で点灯されるとともに非常時に非常用点灯制御部で点灯される光源としてもよい。さらに、非常用照明器具では、常時に常用点灯制御部でのみ点灯される光源と、常時に常用点灯制御部で点灯されるとともに非常時に非常用点灯制御部で点灯される光源とを混在させてもよい。
【００２５】
また、非常用照明器具が、常時に商用電源の電源供給により１以上の光源の点灯制御を行う常用点灯制御部を有する場合、非常用照明器具が備える光源のうち常用点灯制御部で点灯される光源が、常時には商用電源の供給及び遮断が外部操作により選択可能とするのが好ましい。一方、非常用照明器具が備える光源のうち非常用点灯制御部で点灯される光源は、常時には商用電源の供給及び遮断が外部操作されず、商用電源から常に電力が供給されているようにするのが好ましい。
【００２６】
照明システムを構築するためには、商用電源から、常用電線、非常用電線、及び共通電線の３線を天井等に配線すればよい。そして、非常用点灯制御部を非常用電線及び共通電線と電気的に接続させるとともに、常用照明器具が備える光源を常用電線及び共通電線と電気的に接続させ、常用電線に点滅器を配置しておけば実現できる。非常用照明器具が、常時に商用電源の電源供給により１以上の光源の点灯制御を行う常用点灯制御部を有する場合は、常用点灯制御部は常用電線及び共通電線と電気的に接続させておけばよい。
【００２７】
また、商用電源から、一対の常用電線及び一対の非常用電線とを別々に配線させ、非常用点灯制御部を一対の非常用電線と電気的に接続させるとともに、常用照明器具が備える光源を一対の常用電線と電気的に接続させ、一対の常用電線のうちの一方に点滅器を配置しておくことでも実施できる。非常用照明器具が、常時に商用電源の電源供給により１以上の光源の点灯制御を行う常用点灯制御部を有する場合は、常用点灯制御部は一対の常用電線と電気的に接続させておけばよい。
【００２８】
非常用点灯制御部によって点灯する光源は、元来、略１０ｍ以下の間隔で配置することが好ましいとされている。また、無線中継器は略３０人以下に１つ設けるのが好ましいとされている。例えば、一般のオフィスでは、３．５ｍ２程度の空間に１人となるように机が配置されていることが多いため、無線中継器は、１００ｍ２好ましくは２５ｍ２〜１００ｍ２の空間に１つ、すなわち、１０ｍ以下好ましくは５ｍ〜１０ｍの間隔に１つ配置するとよい。したがって、請求項３の発明において、非常用照明器具の好ましい配設間隔としては、５ｍ〜１０ｍ程度がよい。
【００２９】
請求項３の発明によれば、非常用照明器具が備える無線中継器は、少なくとも非常時に非常用電源から非常用点灯制御部へ供給される電源の一部を用いて動作する。そのため、無線中継器には非常用電源を備えておく必要がなく、したがって、簡単な構成であり小型化が容易である。
【００３０】
また、請求項３の発明によれば、非常用点灯制御部によって点灯する光源の配置間隔と無線中継器の配置間隔とが実質的に同じであるため、非常用照明器具を所定の間隔で配置することで、非常用点灯制御部によって点灯する光源と無線中継器との両方を夫々の使用に適するように配置できる。したがって、照明器具を所定の間隔で配置するだけで大掛かりな工事を要することなく無線ＬＡＮの構築が可能である。
【００３１】
請求項４に係る発明の照明システムは、請求項３に記載の照明システムであって、前記非常用点灯制御部は、常時において、商用電源の電源供給により前記非常用電源の充電を行うとともに、前記無線中継器は、常時において、商用電源から前記非常用点灯制御部へ供給される電源の一部を用いて動作することを特徴とする。
【００３２】
請求項４の発明によれば、常時においては、無線中継器は商用電源の電源供給により非常用電源を充電するための電源の一部を用いて動作するため、配線構造を複雑化することなく無線中継器を配設することができる。しかも、常用照明器具が備える光源への電力供給量を低下させることが無いので、常時において、常用照明器具が備える光源の照度や輝度を低下させることがない。
【００３３】
【発明の実施の形態】以下、図１〜図５を参照して本発明の第１の実施形態を説明する。
【００３４】
本実施形態に係る照明システム１ａは、例えばオフィス等の比較的広い空間を有する照明エリアＲ内に無線ＬＡＮを構築可能なものであり、複数の非常用照明器具１０ａ及び複数の常用照明器具３０等を備えている。
【００３５】
まず、非常用照明器具１０ａについて説明する。非常用照明器具１０ａは夫々、例えば直管型蛍光ランプ等からなる光源としての常用ランプ１４及び電球等からなる光源としての非常用ランプ１６とを備えた直付け型の蛍光灯器具である。なお、非常用照明器具１０ａは埋込み型等の天井装置型であればよい。
【００３６】
詳しくは、非常用照明器具１０ａは、器具本体１１と、反射笠１２と、ランプソケット１３と、照明用の常用ランプ１４と、制光体１５と、非常用ランプ１６と、無線中継器１７と、常用点灯制御部２２を有する点灯装置２０と、非常用点灯制御部６０ａと、非常用電源５５とを備えている。
【００３７】
金属製の器具本体１１は、図１（Ａ）（Ｂ）に示すように、平面略正方形状の箱形状に形成されている。この器具本体１１の一側及び他側には下面がその幅方向の略全域に開口したランプ収容部１８が形成されている。図１（Ａ）（Ｂ）中符号１８ａは器具本体１１の開口部を示している。
【００３８】
ランプ収容部１８内には、夫々相互間隔が下方向に向かってハの字状に広がる側壁を例えばこれらと一体の天井Ｃ側壁で接続して形成した反射笠１２が取付けられている。また、これらのランプ収容部１８内には夫々、幅方向両端部に常用ランプ１４を２本支持可能な一対のランプソケット１３が取付けられている。器具本体１１の幅方向に対向する一対のランプソケット１３には、これらに渡って常用ランプ１４が着脱可能に支持されている。これらのランプ１４は、ランプソケット１３に装着されることで点灯装置２０を介して後述するように常用電線２及び共通電線４と電気的に接続する。開口部１８ａには夫々、複数の板材がルーバー状に配置された制光体１５が取付けられている。開口部１８ａにはランプ１４からの照射光が投射される。
【００３９】
器具本体１１の中間部は下面が蓋部１９ａで閉鎖された空間部１９となっている。この空間部１９には非常用ランプ１６及び無線中継器１７が収容されている。非常用ランプ１６は非常用点灯制御部６０ａを介して後述するように非常用電線３及び共通電線４と電気的に接続している。無線中継器１７が有する一対のアンテナ１７ａは蓋部１９ａを貫通して下側に突出している。なお、図１ではアンテナ１７ａは蓋部１９ａに対して略垂直に突出しているが、アンテナ１７ａと蓋部１９ａとのなす角度は任意に設定可能であり、水平に折れ曲がっていてもよい。
【００４０】
この無線中継器１７は図示しない複数の無線端末機器との間で、無線、例えば赤外線等によって情報の送受信が可能に形成されている。また、無線中継器１７は、無線端末機器から送信された信号を受信して、その情報を図示しないサーバーに送信できるとともに、サーバーに蓄積されている該当の情報を受信して、その情報を無線端末機器に送信できるように形成されている。
【００４１】
また、この空間部１９には、図１（Ａ）（Ｂ）では省略しているが、点灯装置２０、非常用点灯制御部６０ａ、及び非常用電源２７が収容されている。点灯装置２０は、図２に示すように、端子台２１、常用点灯制御部２２、安定器２３等を備えている。非常用点灯制御部６０ａは、図２に示すように、充電モニタ２４及び点検スイッチ２５等が電気的に接続されているとともに、コネクタ２６を介して非常用電源２７及びヒューズ２８等と電気的に接続されている。非常用電源２７は、例えば蓄電池等からなる。
【００４２】
非常用照明器具１０ａは、以下のようにして、商用電源５１と電気的に接続されている（図２参照）。
【００４３】
商用電源５１からは、常用電線２、非常用電線３、及び共通電線４が延出している。常用電線２、非常用電線３、及び共通電線４を介して供給される電力は分電盤５０で各照明器具１０ａに分配されている。夫々の照明器具１０ａの点灯装置２０及び非常用点灯制御部６０ａは、常用電線２、非常用電線３、及び共通電線４と端子台２１を介して電気的に接続している。
【００４４】
端子台２１を介して点灯装置２０と電気的に接続された常用電線２及び共通電線４は、常用点灯制御部２２及び安定器２３を介してランプ１４と電気的に接続している。また、常用電線２には分電盤５０と端子台２１との間に点滅器２９が設けられている。この点滅器２９は、例えば照明エリアＲを形成する側壁面等、外部から操作できる位置に露出するように設けられている。これにより、ランプ１４は常用電線２及び共通電線４を介して商用電源５１が供給されるとともに、電力の供給及び遮断が点滅器２９の操作により選択可能、即ち、点灯と消灯が選択可能となっている。
【００４５】
一方、端子台２１を介して非常用点灯制御部６０ａと電気的に接続された非常用電線３及び共通電線４は、この非常用点灯制御部６０ａを介して非常用ランプ１６と電気的に接続しているとともに、非常用電源２７と電気的に接続している。これにより、常時において、商用電源５１は非常用電線３及び共通電線４を介して常時非常用点灯制御部６０ａ供給されて、非常用電源２７に充電されることとなる。
【００４６】
無線中継器１７は、非常用電線３及び共通電線４と直接電気的に接続している。これにより、無線中継器１７は、常時は商用電源５１から供給される電源で動作し、非常時は非常用電線３及び共通電線４を介して非常用点灯制御部６０ａに供給される電力の一部が供給されて動作する。また、非常用電線３及び共通電線４には点滅器２９が設けられていないため、外部操作により非常用点灯制御部６０ａに供給される電力が遮断されることはない。したがって、外部操作により、無線中継器１７に供給される電力が遮断されることはない。
【００４７】
次に、常用照明器具３０について説明する。常用照明器具３０は夫々、例えば直管型蛍光ランプ等からなる光源としての照明用ランプ３４を備えた直付け型の蛍光灯器具である。なお、常用照明器具３０は、埋込み型等の天井装置型であればよい。常用照明器具３０は既存の照明器具、すなわち、電力の供給及び遮断が外部操作により選択可能な照明用ランプ（常用ランプ）を有し且つ無線中継器を備えない照明器具である。常用照明器具３０は、器具本体３１と、反射笠３２と、ランプソケット３３と、常用の照明用ランプ３４と、制光体３５と、点灯装置４０とを備えている。
【００４８】
金属製の器具本体３１は、非常用照明器具１０ａが備える器具本体１１と同形状に形成されている。すなわち、図３（Ａ）（Ｂ）に示すように、平面略正方形状の箱形状に形成されている。そして、この器具本体３１の一側及び他側には下面がその幅方向の略全域に開口したランプ収容部３８が形成されている。図３（Ａ）（Ｂ）中符号３８ａは器具本体３１の開口部を示している。
【００４９】
ランプ収容部３８内には夫々、相互間隔が下方向に向かってハの字状に広がる側壁を例えばこれらと一体の天井Ｃ側壁で接続して形成した反射笠３２が取付けられている。また、これらのランプ収容部３８内には夫々、幅方向両端部に照明用ランプ３４を２本支持可能な一対のランプソケット３３が取付けられている。器具本体３１の幅方向に対向する一対のランプソケット３３には、これらに渡って照明用ランプ３４が着脱可能に支持されている。これらのランプ３４は、非常用照明器具１０ａに装着されるランプ１４と使用電力が同じであって、ランプソケット３３に装着されることで点灯装置４０を介して後述するように常用電線２及び共通電線４と電気的に接続する。開口部３８ａには夫々、複数の板材がルーバー状に配置された制光体３５が取付けられている。開口部３８ａにはランプ３４からの照射光が投射される。
【００５０】
器具本体３１の中間部は下面が蓋部３９ａで閉鎖された空間部３９となっている。この空間部３９には、図３（Ａ）（Ｂ）では省略しているが、点灯装置４０が収容されている。点灯装置４０は、図４に示すように、端子台４１、点灯制御部４２、安定器４３等を備えている。
【００５１】
常用照明器具３０は、以下のようにして、商用電源５１と電気的に接続されている（図４参照）。
【００５２】
商用電源５１から延出している常用電線２及び共通電線４を介して供給される電力は分電盤５０で各照明器具３０に分配されている。夫々の照明器具３０の点灯装置４０と常用電線２及び共通電線４とは端子台４１を介して電気的に接続している。
【００５３】
端子台４１を介して点灯装置４０と電気的に接続された常用電線２及び共通電線４は、点灯制御部４２及び安定器４３を介してランプ１４と電気的に接続している。また、常用電線２には分電盤５０と端子台４１との間に点滅器２９が設けられている。この点滅器２９は、例えば照明エリアＲを形成する側壁面等、外部から操作できる位置に露出するように設けられている。ランプ３４は常用電線２及び共通電線４を介して商用電源５１が供給されるとともに、電力の供給及び遮断が点滅器２９の操作により選択可能、即ち、点灯と消灯が選択可能となっている。
【００５４】
ところで、既存の照明器具である常用照明器具３０では、器具本体３１の中間部に空間部３９が設けられている。そのため、上述した非常用照明器具１０ａは、常用照明器具３０が有する器具本体３１を流用し、この空間部３９に非常用ランプ１６及び無線中継器１７を収容することで、新たに器具本体を設計したり、大きさを大形化させたりすることなく形成することができる。
【００５５】
以上のように、非常用照明器具１０ａの蓋部１９ａから無線中継器１７のアンテナ１７ａが下向きに突出しており、常用照明器具３０の蓋部３９ａからは何も突出していないという点以外には、非常用照明器具１０ａと常用照明器具３０とは外観は略同形状である。また、非常用照明器具１０ａと常用照明器具３０とは、同じ使用電力すなわち同じ明るさのランプを用いているので、照度及び輝度についても差がない。つまり、非常用照明器具１０ａと常用照明器具３０との外観上の差は無線中継器１７が備えるアンテナ１７ａが突出しているか否かという点のみである。
【００５６】
照明システム１ａを、例えば、幅Ｗが２０．４ｍ、奥行きＤが１２．０ｍ、天井面積Ｓ１及び床面積Ｓ２が２４４，８ｍ２、幅方向１１個×奥行き方向６個（計６６個）の照明器具が必要な照明エリアＲ内に適用にする場合、非常用照明器具１０ａ及び常用照明器具３０は夫々間隔的に配設される（図５参照）。
【００５７】
一般のオフィスでは、３．５ｍ２程度の空間に１人程度となるように机が配置されていることが多い。したがって、天井面積Ｓ１及び床面積Ｓ２が２４４．８ｍ２の照明エリアＲには、７０人程度の人が収容可能ということになる。これに対し、無線中継器は略３０人以下に１つ設けるのが好ましいとされている。
【００５８】
この照明システム１ａでは、６６個の照明器具のうち、例えば、幅方向３個×奥行き方向２個、計６個を非常用照明器具１０ａとしている。非常用照明器具１０ａは、中心に対して略線対称且つ配置間隔Ｉが略７．２ｍの間隔となるように幅方向に３個、中心に対して略線対称且つ配置間隔Ｌが略５．４ｍとなるように奥行き方向に２個、夫々天井Ｃに配置している。そして、天井Ｃのその他の空間に略等間隔となるように残りの６０個の常用照明器具３０を配置している。
【００５９】
このように配置することにより、大凡１４人に１台の割合で無線中継器が配置されることとなり、良好な無線ＬＡＮ環境を構築することができる。しかも、非常用照明器具１０ａと常用照明器具３０との間には照度や輝度の差が無いので、照明エリアＲ内の各部の明るさにむらができることが無い。
【００６０】
この照明システム１ａでは、常時は、商用電源５１の電源供給により、常用照明器具３０が備えるランプ３４及び非常用照明器具１０ａが備える常用ランプ１４が点灯可能であり、照明エリアＲを均等に照明できる。これらのランプ１４，３４は点滅器２９の操作により点灯及び消灯が選択できる。この状態においては、無線中継器１７は非常用電線３及び共通電線４を介して非常用点灯制御部６０ａに供給される商用電源５１からの電源供給により動作して、照明エリアＲ内で無線ＬＡＮを構築する。同時に、非常用電線３及び共通電線４を介して非常用点灯制御部６０ａに供給される商用電源５１は非常用電源２７を充電する。
【００６１】
一方、非常時、すなわち、商用電源５１の電源供給が停止すると、常用照明器具３０が備えるランプ３４及び非常用照明器具１０ａが備える常用ランプ１４が点灯不可能となり、非常用照明器具１０ａが備える非常用ランプ１６が非常用電源２７により点灯される。この状態においては、無線中継器１７は非常用電源２７から非常用点灯制御部６０ａへ供給される電源の一部を用いて動作して、照明エリアＲ内で無線ＬＡＮを構築する。
【００６２】
以上のように、この実施形態の照明システム１ａが備える非常用照明器具１０ａによれば、無線中継器１７は、非常時に非常用電源２７から非常用点灯制御部６０ａへ供給される電源の一部を用いて動作する。そのため、無線中継器１７には非常用電源を備えておく必要がなく、したがって、簡単な構成であり小型化が容易であり、本実施形態のように器具本体１１に空間部１９がある場合には、照明器具１１に組み込み易い。しかも、非常用照明器具１０ａは、所定の間隔で配置するだけで大掛かりな工事を要することなく無線ＬＡＮの構築が可能であるので、無線ＬＡＮの構築に好適である。
【００６３】
さらに、この照明システム１ａが備える非常用照明器具１０ａによれば、無線中継器１７が、常時は商用電源５１から供給される電源で動作するため、配線構造を複雑化することなく無線中継器１７を配設することができる。しかも、無線中継器１７が、常時は商用電源５１から供給される電源で動作するため、常時は、常用点灯制御部２２により点灯制御される常用ランプ１４への電力供給量を低下させることが無い。したがって、常時において、常用点灯制御部２２により点灯制御される常用ランプ１４の照度や輝度を低下させることがない。
【００６４】
また、この実施形態の照明システム１ａによれば、非常用点灯制御部６０ａによって点灯する光源としての非常用ランプ１６の配置間隔と無線中継器１７の配置間隔とが実質的に同じであるため、非常用照明器具６０ａを所定の間隔で配置することで、非常用点灯制御部６０ａによって点灯する非常用ランプ１６と無線中継器１７との両方を夫々の使用に適するように配置できる。したがって、非常用照明器具１０ａを所定の間隔で配置するだけで大掛かりな工事を要することなく無線ＬＡＮの構築が可能である。
【００６５】
また、無線中継器１７は非常用点灯制御部６０ａに供給される電力の一部を用いて動作するので、非常用照明器具１０ａと常用照明器具３０との明るさが同等となり、照明エリアＲを均等に照明可能である。
【００６６】
さらに、上述のように、非常用照明器具１０ａと常用照明器具３０との間には照度や輝度の差が生じないので、外観上の差は無線中継器１７が備えるアンテナ１７ａが外部に突出しているか否かという点のみである。したがって、室内の明るさを補充するために既存の常用照明器具３０を配置しても、非常用照明器具１０ａと常用照明器具３０との間に著しい外観の違いがないので天井Ｃの体裁がよい。
【００６７】
なお、この実施形態では、非常用照明器具１０ａは、幅方向の配置間隔と奥行き方向の配置間隔とが異なっており、常用照明器具３０は、幅方向の配置間隔と奥行き方向の配置間隔とが略同程度となっているが、非常用照明器具１０ａ及び常用照明器具３０は、幅方向の配置間隔と奥行き方向の配置間隔とが夫々同じであっても異なっていてもよい。
【００６８】
以下、図６を参照して本発明の第２の実施形態を説明する。この実施形態は、基本的には第１の実施形態と同様な構成であるので、同一ないし同様な構成については第１の実施形態と同符号を付して、その構成及び作用の説明を省略し、以下、異なる部分について説明する。
【００６９】
この実施形態の照明システム１ｂが備える複数の非常用照明器具１０ｂが備える光源の内の一部または全部は、常時に常用点灯制御部２２ａで点灯されるとともに非常時に非常用点灯制御部２２ｂで点灯される光源としてのランプ５４を備えている。
【００７０】
つまり、非常用照明器具１０ｂは、器具本体１１、反射笠１２、ランプソケット１３、ランプ５４、制光体１５、無線中継器１７、点灯装置８０、及び非常用電源５５等を備えている。点灯装置８０は、常用点灯制御部２２ａ、非常用点灯制御部２２ｂ、安定器２３、充電モニタ２４、及び点検スイッチ２５等を備えている。この点灯装置８０は、コネクタ２６を介して非常用電源２７及びヒューズ２８等と電気的に接続されている。
【００７１】
また、常用電線２、非常用電線３、及び共通電線４を介して供給される電力は分電盤５０で各非常用照明器具１０ｂに分配されており、夫々の非常用照明器具１０ｂが備える点灯装置８０が、常用電線２、非常用電線３、及び共通電線４と端子台４１を介して商用電源５１と電気的に接続している。
【００７２】
端子台４１を介して点灯装置８０と電気的に接続された常用電線２及び共通電線４は、常用点灯制御部２２ａ及び安定器４３を介してランプ５４と電気的に接続している。また、常用電線２には分電盤５０と端子台４１との間に点滅器２９が設けられている。この点滅器２９は、例えば照明エリアＲを形成する側壁面等、外部から操作できる位置に露出するように設けられている。これにより、ランプ５４は、通常時において、常用電線２及び共通電線４を介して電力が供給されているとともに、これら電線を介して供給される電力の供給及び遮断が外部操作により選択可能、即ち、点灯と消灯が選択可能となっている。
【００７３】
一方、端子台４１を介して点灯装置８０と電気的に接続された非常用電線３及び共通電線４は、非常用点灯制御部２２ｂを介してランプ５４と電気的に接続している。これにより、非常時において、非常用電線３及び共通電線４を介して供給され非常用電源２７に充電された電力がランプ５４に供給されていることとなる。万一、常用電線２及び共通電線４からの電力供給が停止した場合、ランプ５４は、非常用電線３及び共通電線４から供給された電力により充電された非常用電源２７により点灯する。無線中継器１７は非常用照明器具１０ｂ内に設けられて、非常用電線３及び共通電線４と電気的に接続している。これにより、無線中継器１７は、常時は、商用電源５１から非常用電線３及び共通電線４を介して非常用点灯制御部２２ｂに供給される電力の供給を受けて動作し、非常時には、非常用電源５７から非常用点灯制御部２２ｂへ供給される電力の一部を用いて動作する。
【００７４】
また、非常用電線３及び共通電線４には点滅器２９が設けられていないため、外部操作により非常用電源２７に供給される電力が遮断されることはない。また、外部操作により、無線中継器１７に供給される電力が遮断されこともない。なお、以上説明した構成以外は、図６に示されない構成も含めて第１の実施形態と同一ないし同様である。
【００７５】
照明システム１ｂを、例えば、幅Ｗが２０．４ｍ、奥行きＤが１２．０ｍ、天井面積Ｓ１及び床面積Ｓ２が２４４，８ｍ２、幅方向１１個×奥行き方向６個（計６６個）の照明器具が必要な照明エリアＲ内に適用にする場合、図５において照明器具１０ａと置換して非常用照明器具１０ｂを天井Ｃに所定の間隔で配置すればよい。
【００７６】
この実施形態の非常用照明器具１０ｂ及び照明システム１ｂでは、第１の実施形態の照明器具１０ａ及び照明システム１ａと同様の効果が得られる。
【００７７】
なお、この実施形態では、無線中継器１７を照明器具２０ｂ内に設けたが、無線中継器１７は図６に二点鎖線で示すように、照明器具２０ｂとは別体で設けてもよい。照明器具２０ｂと無線中継器１７とを別体とした場合、無線中継器１７は、照明器具２０ｂと略同数用意し、この照明器具２０ｂと略同間隔で天井Ｃに配置すればよい。また、このとき、無線中継器１７と照明器具２０ｂとは隣接させて配置しても所定間隔離して配置してもよい。
【００７８】
以下、図７を参照して本発明の第３の実施形態を説明する。この実施形態は、基本的には第１の実施形態と同様な構成であるので、同一ないし同様の構成については第１の実施形態と同符号を付して、その構成及び作用の説明を省略し、以下、異なる部分について説明する。
【００７９】
この実施形態の照明システム１ｃでは、非常用照明装置１０ｃと、常用照明器具３０と、無線中継器１７とが、夫々天井Ｃに所定の間隔で配置されている。
【００８０】
つまり、非常用照明装置１０ｃは、電球等からなる光源としての非常用ランプ５３及び非常用点灯制御部６０ｂを備えている。非常用点灯装置６０ｂには、充電モニタ２４及び点検スイッチ２５等が電気的に接続されているとともに、コネクタ２６を介して非常用電源２７及びヒューズ２８等と電気的に接続されている。これら非常用照明器具１０ｃは、非常用点灯制御部６０ｂを介して非常用電線３及び共通電線４と電気的に接続している状態で天井Ｃに配置されている。非常用照明器具１０ｃは、１０ｍ程度以下の間隔で配置することが好ましい。
【００８１】
無線中継器１７は、非常用電線３及び共通電線４と直接電気的に接続された状態で配置されている。無線中継器１７は、例えば略５ｍ〜１０ｍの間隔となるように無線中継器１７が配置するのが好ましい。なお、以上説明した構成以外は、図７に示されない構成も含めて第１の実施形態と同一ないし同様である。
【００８２】
この照明システム１ｃを構築するためには、商用電源５１から、常用電線２、非常用電線３及び共通電線４の３線を配線すればよい。そして、常用照明器具３０が備える点灯制御部４２を常用電線２及び共通電線３と電気的に接続させ、非常用照明器具１０ｃが備える非常用点灯制御部６０ｂを非常用電線４及び共通電線３と電気的に接続させるとともに、常用電線２に点滅器を配置しておけば実現できる。
【００８３】
なお、商用電源５１から、一対の常用電線及び一対の非常用電線とを別々に配線させ、常用照明器具３０が備える点灯制御部４２を一対の常用電線と電気的に接続させ、非常用照明器具１０ｃが備える非常用点灯制御部６０ｂを一対の非常用電線と電気的に接続させるとともに、一対の常用電線のうちの一方に点滅器を配置しておくことでも実施できる。
【００８４】
この照明システム１ｃによれば無線ＬＡＮの構築が可能である。しかも、無線中継器１７が、少なくとも非常時に非常用電源２７から非常用点灯制御部６０ｂへ供給される電源の一部を用いて動作する。そのため、無線中継器１７には非常用電源を備えておく必要がなく、したがって、簡単な構成であり小型化が容易である。
【００８５】
しかも、無線中継器１７は、常時には、商用電源５１から非常用点灯制御部６０ｂへ供給される電源の一部を用いて動作するので、常時において、配線構造を複雑化することなく無線中継器１７を配設することができ、しかも、照明器具３０の照明用ランプ３４の照度や輝度を低下させることもない。したがって、この照明システム１ｃによれば、照明エリアＲ内を均等に照明可能であって、しかも、照明エリアＲ内に無線ＬＡＮを構築できる。
【００８６】
また、この照明システム１ｃによれば、照明器具３０、非常用照明器具５３、及び、無線中継器１７を別々に設けているので、夫々の形状、デザイン、或いは、配置間隔等に影響を与えることなく無線ＬＡＮを構築できる。
【００８７】
なお、この実施形態では、照明用ランプ３４を備える照明器具３０と非常用照明器具５３とを別々に設けたが、複数の照明器具３０の内の一部または全部において、その照明器具３０が備える照明用ランプ３４が非常用照明器具５３を兼ねていてもよい。また、また、この実施形態では、非常用照明器具５３は単独で配置したが、非常用照明器具５３は照明器具３０に内蔵してこの照明器具３０とともに配置してもよい。
【００８８】
【発明の効果】請求項１に係る発明によれば、簡単な構成で且つ小型化が容易な無線中継器を備えて無線ＬＡＮの構築に好適な照明器具が得られる。
【００８９】
請求項２の発明によれば、配線構造を複雑化することなく無線中継器を配設することができる。
【００９０】
請求項３に係る発明によれば、簡単な構成で且つ小型化が容易な無線中継器を備えて無線ＬＡＮを構築できる照明システムが得られる。
【００９１】
請求項４の発明によれば、配線構造を複雑化することなく無線中継器を配設することができる照明システムが得られる。
【図面の簡単な説明】
【図１】（Ａ）は本発明の第１の実施形態に係る照明システムが備える非常用照明器具を一部切り欠いて示す側面図。（Ｂ）は図１（Ａ）の非常用照明器具を示す正面図。
【図２】図１（Ａ）（Ｂ）の非常用照明器具の回路図。
【図３】（Ａ）は本発明の第１の実施形態に係る照明システムが備える常用照明器具を一部切り欠いて示す側面図。（Ｂ）は図２（Ａ）の常用照明器具を示す正面図。
【図４】図３（Ａ）（Ｂ）の常用照明器具の回路図。
【図５】本発明の第１の実施形態に係る照明システムを示す配置図。
【図６】本発明の第２の実施形態に係る照明システムの回路図。
【図７】本発明の第３の実施形態に係る照明システムの回路図。
【符号の説明】
１ａ〜１ｃ…照明システム、  １０ａ，１０ｂ，５３…非常用照明器具、  １１…器具本体、  １４…常用ランプ（光源）、  １６，５３…非常用ランプ（光源）、  １７…無線中継器、  ２２，２２ａ…常用点灯制御部、  ２２ｂ，６０ａ，６０ｂ…非常用点灯制御部、  ２７…非常用電源、  ３０…常用照明器具、
３１…照明用ランプ（光源）、３４…常用ランプ（光源）  ５１…商用電源、
５４…光源、  Ｃ…天井
【図１】
2004185978.tif 000003
【図２】
2004185978.tif 000004
【図３】
2004185978.tif 000005
【図４】
2004185978.tif 000006
【図５】
2004185978.tif 000007
【図６】
2004185978.tif 000008
【図７】
2004185978.tif 000009